(57)【要約】【課題】  画像データと地図データとを組み合わせて表示可能な電子アルバムを容易に作成する。【解決手段】  デジタルカメラ等で使用された半導体型メディアＭｓを半導体ドライブ２にセットして画像データを取得し、地図データとルートデータとを取得した後には、ディスプレイ７に撮影位置設定画面を表示し、ルートデータ上に撮影位置を設定し、この撮影位置と画像データとを関連付けてリンクデータを生成する。この後、画像データ、地図データ、ルートデータ、リンクデータを記憶処理部２３においてＤＶＤ−Ｒ等の記憶媒体Ｍｄに記憶して電子アルバムを作成する。【選択図】        図１
2006135663.tif 000002
【特許請求の範囲】
【請求項１】
位置データに画像データを関連付ける画像処理装置であって、
ルートデータを取得するルートデータ取得部と、デジタル信号化された画像データを取得する画像データ取得部と、記憶媒体に対してデータを記憶する媒体ドライブとを備えると共に、前記ルートデータ取得部で取得したルートデータ上の位置データ、あるいは、このルートデータの近傍の位置データに前記画像データ取得部で取得した画像データをリンクデータで関連付けるリンクデータ生成部を備え、
前記ルートデータ取得部で取得したルートデータと、前記画像データ取得部で取得した画像データと、前記リンクデータ生成部で生成したリンクデータと、再生装置の表示手段において前記ルートデータに前記リンクデータで関連付けた画像データの表示を行う再生処理プログラムとを前記媒体ドライブで前記記憶媒体に記憶する電子アルバム作成手段を備えている画像処理装置。
【請求項２】
前記ルートデータが示す領域に対応した地図データを取得する地図データ取得部を備えると共に、前記再生処理プログラムは、前記再生装置の表示手段に前記地図データ取得部で取得した地図データを表示し、この地図データ上に前記ルートデータを表示し、このルートデータに前記リンクデータによって関連付けられた複数の前記画像データを、時間経過に従って表示するように処理形態が設定されている請求項１記載の画像処理装置。
【請求項３】
前記ルートデータ取得部で取得したルートデータと、前記画像データ取得部で取得した画像データとを表示するディスプレイを備えると共に、前記リンクデータ生成部は、前記ディスプレイに表示されたルートデータ上の位置データ、あるいは、ルートデータの近傍の位置データと、画像データとの関連付けをディスプレイにおいて確認できるよう処理形態が設定されている請求項１又は２記載の画像処理装置。
【請求項４】
前記ルートデータが、ナビゲーションシステムに搭載されたＧＰＳユニットにおいて設定時間毎に取得される複数の位置データを含んで構成されている請求項１〜３のいずれか１項に記載の画像処理装置。
【請求項５】
前記画像データとして、ＧＰＳユニットで取得した位置データを保存する機能を有したデジタルカメラで撮影されたものを用いると共に、前記ルートデータ取得部は、複数の画像データに付随する位置データを繋ぎ合わせることにより前記ルートデータを生成するように構成されている請求項１〜３のいずれか１項に記載の画像処理装置。
【請求項６】
前記ルートデータ取得部は、通信手段を介して前記ルートデータを取得する通信端末で構成されている請求項１〜３のいずれか１項に記載の画像処理装置。
【請求項７】
音楽データ取得部を備えると共に、前記電子アルバム作成手段は、この音楽取得部で取得した音楽データを前記記憶媒体に記憶するよう処理形態が設定され、前記再生処理プログラムは記憶手段に記憶された音楽データの再生を行うように処理形態が設定されている請求項１〜６のいずれか１項に記載の画像処理装置。
【請求項８】
前記電子アルバム作成手段によって、前記ルートデータと、前記画像データと、前記リンクデータと、前記再生処理プログラムとを前記記憶媒体に記憶する際に料金の支払いを求める課金処理部を備えている請求項１〜７のいずれか１項に記載の画像処理装置。
【請求項９】
位置データに画像データを関連付ける画像処理方法であって、
ルートデータ取得部で取得したルートデータ上の位置データ、あるいは、前記ルートデータの近傍の位置データと、画像データ取得部で取得した画像データとをリンクデータ生成部で生成したリンクデータで関連付ける処理を行い、
これらルートデータと、画像データと、リンクデータと、前記ルートデータにリンクデータによって関連付けられた画像データを再生装置の表示手段において表示する再生処理プログラムとを記憶媒体に記憶する画像処理方法。
【請求項１０】
位置データに画像データを関連付ける画像処理プログラムであって、
ルートデータ取得部で取得したルートデータ上の位置データ、あるいは、前記ルートデータの近傍の位置データと、画像データ取得部で取得した画像データとをリンクデータ生成部で生成したリンクデータで関連付ける機能を実行し、
これらルートデータと、画像データと、リンクデータと、前記ルートデータにリンクデータによって関連付けられた画像データを再生装置の表示手段において表示する再生処理プログラムとを記憶媒体に記憶する機能を実行する画像処理プログラム。
【発明の詳細な説明】
【技術分野】
【０００１】
本発明は、位置データに画像データを関連付ける画像処理装置、及び、位置データに画像データを関連付ける画像処理方法、及び、位置データに画像データを関連付ける画像処理プログラムに関する。
【背景技術】
【０００２】
上記のように構成された画像処理装置と関連する技術として特許文献１、及び、特許文献２に記載されるものが存在する。特許文献１には画像ファイリング装置が示され、この画像ファイリング装置では、装置本体に対してメモリカード、及び、ＣＤ−Ｒに対してデータのアクセスを行うメディアドライブユニット（本発明の画像データ取得部と媒体ドライブに対応する）と、プリンタユニットとを備え、装置本体の前面には各種スイッチ類を備えた操作パネルを形成している。デジタルカメラで撮影された画像（本発明の画像データ）を記録したメモリカードをメディアドライブにセットし、メディアドライブにＣＤ−Ｒをセットした状態で保存ボタンを操作することにより、メモリカードの全ての撮影画像ファイルの読み取りを開始し、画像処理部でソートし、ファイル名を変更した後、１つのアルバムデータとしてＣＤ−Ｒに書き込む処理が記載されている。
【０００３】
特許文献２には電子アルバム作成システムが示され、このシステムでは、ＧＰＳ式等の位置検出手段を有したデジタルカメラで撮影した画像データがメモリカードに保存され、このメモリカードに記録された撮影データ（画像データ）と撮影場所とを対応させて地図データ上に画像データを添附した形式の電子アルバムを作成して、ＣＤ−Ｒ等の記憶媒体に保存するよう処理形態が設定され、このようにＣＤ−Ｒ等にデータを記憶して作成された電子アルバムはパソコン等（本発明の再生装置）のディスプレイ画面に地図を表示し、この地図上に撮影場所を示すマークを表示し、このマークにカーソルを合わせて選択すると画像を表示するように処理形態が設定されている。また、この特許文献２では、撮影データをサーバに保存することや、電子アルバム化したデータをサーバに保存することや、撮影データと電子アルバム化してデータとをサーバに保存して良い点も記載されている。
【０００４】
【特許文献１】特開２００３‐８５５２８号公報  （段落番号〔００１４〕〜〔００９４〕、図１）
【特許文献１】特開２００３‐３３３４８２号公報  （段落番号〔０００９〕〜〔００２０〕、図３〜図８）
【発明の開示】
【発明が解決しようとする課題】
【０００５】
デジタルカメラの高性能化、低価格化に伴って一般家庭においてもデジタルカメラを用いる機会が増大しており、スナップ写真や、記念写真、あるいは、観光地での風景写真を撮影する機会も増大している。このように撮影した画像データは印画紙等にプリントし、アルバムとして保存することが理想である。しかしながら、デジタルカメラで撮影した撮影画像データはパーソナルコンピュータに簡単に表示できることから、旅行の後には撮影画像データをパーソナルコンピュータで観賞し、この後には顧みられていないのも現実であった。このようにパーソナルコンピュータで画像データを観賞した場合には、画像データをパーソナルコンピュータのハードディスクに保存することも多く行われているが、画像データはデータ量が大きいので、画像データを保存することによってハードディスクの記憶領域を減少させやすく、従来は、オペレータが画像データだけを抽出してＣＤ−Ｒ等の記憶メディアに保存しているのが現状であった。
【０００６】
しかしながら、年配の者やパーソナルコンピュータの操作に不慣れな者は、デジタルカメラで撮影した画像データをパーソナルコンピュータのディスプレイに表示する操作さえ行えないことが多く、また、パーソナルコンピュータの操作に習熟している者であっても、パーソナルコンピュータで表示した画像データをＣＤ−Ｒに保存する操作を煩わしいと感ずることも多いのが現状であった。
【０００７】
デジタルカメラで撮影した撮影画像データをパーソナルコンピュータで観賞することに着目すると、画像データを１コマずつ、自動又は手動で切り換えて表示する、所謂、スライドショーによる表示も多く行われている。しかしながら、このスライドショーによる表示では画像データを設定された順序で切り換えて表示するだけであるので、画像データからは撮影場所を思い出せないこともあり、具体的な撮影位置を容易に思い出し得る観賞環境が望まれていた。
【０００８】
このような不都合を考えると、特許文献１に記載された画像ファイリング装置では、デジタルカメラで撮影した画像データをＣＤ−Ｒ等の記憶媒体に直接的に保存でき、このように画像データを保存した記憶媒体をパーソナルコンピュータのドライブにセットし、マウスやキーボードを操作する程度の操作によって画像データを表示することも可能となるものの、画像データの表示を行う際には前述したスライドショーを用いることや、専用のソフトウエアによってアルバム形式で表示することが必要となる。
【０００９】
また、特許文献２に記載されたように画像データと地図データとを組み合わせた表示が可能な電子アルバムを作成するものでは、画像データと撮影位置とを視覚的に確認できるので、撮影位置を容易に思い出し得るものであるが、例えば、観光旅行で撮影した画像データの場合、旅行のルートを把握し難いことも予想される。特に、特許文献２に記載されているように画像データと地図データとを組み合わせて電子アルバムを作成することを想定すると、パーソナルコンピュータに習熟していない者でも容易に電子アルバムを作成できることが望まれている。
【００１０】
本発明の目的は、画像データと位置データとを組み合わせて表示可能な電子アルバムを容易に作成する点にある。
【課題を解決するための手段】
【００１１】
本発明の特徴は、位置データに画像データを関連付ける画像処理装置において、
ルートデータを取得するルートデータ取得部と、デジタル信号化された画像データを取得する画像データ取得部と、記憶媒体に対してデータを記憶する媒体ドライブとを備えると共に、前記ルートデータ取得部で取得したルートデータ上の位置データ、あるいは、このルートデータの近傍の位置データに前記画像データ取得部で取得した画像データをリンクデータで関連付けるリンクデータ生成部を備え、
前記ルートデータ取得部で取得したルートデータと、前記画像データ取得部で取得した画像データと、前記リンクデータ生成部で生成したリンクデータと、再生装置の表示手段において前記ルートデータに前記リンクデータで関連付けた画像データの表示を行う再生処理プログラムとを前記媒体ドライブで前記記憶媒体に記憶する電子アルバム作成手段を備えている点にある。
【００１２】
この構成により、ルートデータ取得部でルートデータが取得され、画像データ取得部で画像データが取得された後には、リンクデータ生成部が、ルートデータ上の位置データ、あるいは、このルートデータの近傍の位置データに画像データ取得部で取得した画像データをリンクデータによって関連付ける。次に、電子アルバム作成手段がルートデータと画像データとリンクデータと再生処理プログラムとを媒体ドライブを介して記憶媒体に記憶する処理が行われる。この記憶処理が行われた記憶媒を、パーソナルコンピュータ等の再生装置にセットすることにより、再生処理プログラムの機能によってルートデータにリンクデータで関連付けられた画像データを、再生装置の表示手段に表示できる。その結果、ルートデータとして旅行の行程や、自家用車が走行した道路を視覚的に把握な形態で示し、例えば、ルートデータ上に撮影位置を設定することにより撮影位置を把握しながら、自動的な表示形態で画像データを表示可能な電子アルバムを容易に作成する装置が合理的に構成されたのである。
【００１３】
本発明は、前記ルートデータが示す領域に対応した地図データを取得する地図データ取得部を備えると共に、前記再生処理プログラムは、前記再生装置の表示手段に前記地図データ取得部で取得した地図データを表示し、この地図データ上に前記ルートデータを表示し、このルートデータに前記リンクデータによって関連付けられた複数の前記画像データを、時間経過に従って表示するように処理形態を設定しても良い。
【００１４】
この構成により、再生装置として、例えば、パーソナルコンピュータ等に記憶媒体をセットした場合には、再生装置の表示手段に対して地図データを表示し、この地図データ上にルートデータを表示し、このルートデータにリンクデータによって関連付けられた複数の画像データを、時間経過に従って表示でき、例えば、旅行の行程を地図データ上で確認しながら観賞することができる。
【００１５】
本発明は、前記ルートデータ取得部で取得したルートデータと、前記画像データ取得部で取得した画像データとを表示するディスプレイを備えると共に、前記リンクデータ生成部は、前記ディスプレイに表示されたルートデータ上の位置データ、あるいは、ルートデータの近傍の位置データと、画像データとの関連付けをディスプレイにおいて確認できるよう処理形態を設定しても良い。
【００１６】
この構成により、リンクデータを生成する際にはディスプレイにルートデータと画像データをと対比する関係で表示して、関連付けを視覚的に確認することも可能となり、関連付けに誤りがない。
【００１７】
本発明は、前記ルートデータが、ナビゲーションシステムに搭載されたＧＰＳユニットにおいて設定時間毎に取得される複数の位置データを含んでも良い。
【００１８】
この構成により、例えば、自動車に搭載されるＧＰＳ型のカーナビゲーションシステムや、携帯可能なＧＰＳ型のナビゲーションシステムで設定時間毎に取得される複数の位置データを含むルートデータを用いることが可能となる。つまり、カーナビゲーションシステムを搭載した自動車での旅行やドライブにおいてデジタルカメラで撮影した画像データや、携帯型のナビゲーションシステムを携帯したハイキングやトレッキングにおいてデジタルカメラで撮影した画像データをルートデータに対して容易に関連付けることが可能となる。
【００１９】
本発明は、前記画像データとして、ＧＰＳユニットで取得した位置データを保存する機能を有したデジタルカメラで撮影されたものを用いると共に、前記ルートデータ取得部は、複数の画像データに付随する位置データを繋ぎ合わせることにより前記ルートデータを生成しても良い。
【００２０】
この構成により、ルートデータ取得部は、デジタルカメラで撮影した画像データに付随する位置データを、例えば、撮影された時間の順序に従って並べる処理を行うことによりルートデータを生成することも可能となる。
【００２１】
本発明は、前記ルートデータ取得部は、通信手段を介して前記ルートデータを取得する通信端末で構成しても良い。
【００２２】
この構成により、例えば、旅行会社が企画した旅行のコースをルートデータとしてインターネット等の通信手段を介して公開している場合には、その旅行に参加した者がルートデータを通信手段を介して取得することにより、そのルートデータに対して、その旅行において撮影した画像データを関連付けることが可能となる。
【００２３】
本発明は、音楽データ取得部を備えると共に、前記電子アルバム作成手段は、この音楽取得部で取得した音楽データを前記記憶媒体に記憶するよう処理形態が設定され、前記再生処理プログラムは記憶手段に記憶された音楽データの再生を行うように処理形態を設定しても良い。
【００２４】
この構成により、音楽データ取得部で取得した音楽データを記憶媒体に記憶した場合には、この記憶媒体を再生装置にセットした場合に再生処理プログラムが音楽データを再生することが可能となり、再生装置で画像データを表示する際に音楽データをＢＧＭとして再生することが可能となる。
【００２５】
本発明は、前記電子アルバム作成手段によって、前記ルートデータと、前記画像データと、前記リンクデータと、前記再生処理プログラムとを前記記憶媒体に記憶する際に料金の支払いを求める課金処理部を備えて良い。
【００２６】
この構成により、例えば、本発明の画像処理装置をＤＰ店の店頭に設置した場合、顧客の操作で記憶媒体にデータを記憶する処理を行う場合に、その処理に見合う料金を受けることが可能となる。
【００２７】
本発明は、位置データに画像データを関連付ける画像処理方法において、
ルートデータ取得部で取得したルートデータ上の位置データ、あるいは、前記ルートデータの近傍の位置データと、画像データ取得部で取得した画像データとをリンクデータ生成部で生成したリンクデータで関連付ける処理を行い、
これらルートデータと、画像データと、リンクデータと、前記ルートデータにリンクデータによって関連付けられた画像データを再生装置の表示手段において表示する再生処理プログラムとを記憶媒体に記憶する点にある。
【００２８】
この構成により、ルートデータ取得部で取得したルートデータ上の位置データ、あるいは、ルートデータの近傍の位置データと、画像データ取得部で取得した画像データとをリンクデータ生成部で生成したリンクデータで関連付けを行える。このリンクデータを生成した後には、ルートデータと画像データとリンクデータと再生処理プログラムとを記憶媒体に記憶することにより、再生処理プログラムの機能によってルートデータにリンクデータで関連付けられた画像データを、再生装置の表示手段に表示できる。その結果、ルートデータとして旅行の行程や、自家用車が走行した道路を視覚的に把握な形態で示し、例えば、ルートデータ上の撮影位置を把握しながら、自動的な表示形態で画像データを表示可能な電子アルバムを容易に作成する画像処理方法が合理的に構成された。
【００２９】
本発明は、位置データに画像データを関連付ける画像処理プログラムにおいて、
ルートデータ取得部で取得したルートデータ上の位置データ、あるいは、前記ルートデータの近傍の位置データと、画像データ取得部で取得した画像データとをリンクデータ生成部で生成したリンクデータで関連付ける機能を実行し、
これらルートデータと、画像データと、リンクデータと、前記ルートデータにリンクデータによって関連付けられた画像データを再生装置の表示手段において表示する再生処理プログラムとを記憶媒体に記憶する機能を実行する点にある。
【００３０】
この構成により、ルートデータ取得部で取得したルートデータ上の位置データ、あるいは、ルートデータの近傍の位置データと、画像データ取得部で取得した画像データとをリンクデータ生成部で生成したリンクデータで関連付けを行える。このリンクデータを生成した後には、ルートデータと画像データとリンクデータと再生処理プログラムとを記憶媒体に記憶することにより、再生処理プログラムの機能によってルートデータにリンクデータで関連付けられた画像データを、再生装置の表示手段に表示できる。その結果、ルートデータとして旅行の行程や、自家用車が走行した道路を視覚的に把握な形態で示し、例えば、ルートデータ上の撮影位置を把握しながら、自動的な表示形態で画像データを表示可能な電子アルバムを容易に作成する画像処理プログラムが合理的に構成された。
【発明を実施するための最良の形態】
【００３１】
以下、本発明の実施形態を図面に基づいて説明する。
〔システム構成〕図１に示すように、上部に受付部Ａを備え、下部に処理部Ｂを備えてプリント処理と電子アルバムの作成が可能な受付端末（画像処理装置の一例）が構成されている。
【００３２】
前記受付部Ａは、上部筐体１の前面に対して、コンパクトフラッシュ（商標）、ＳＤカード（商標）、メモリスティック（商標）等のフラッシュメモリで成る半導体型メディアＭｓから画像データを取得する複数種の半導体ドライブ２と、フロッピーディスク（商品名）やＭＯ、あるいは、ＣＤ−ＲやＤＶＤ−Ｒ等のディスク型メディアＭｄからの撮影データを取得するディスクドライブ３と、レシートｒｅを排出するレシートプリンタ４とを備えると共に、上部筐体１の上面にカメラ付き携帯電話機に接続して撮影データの取得を実現するコネクタ５と、必要なデータを表示するよう表示面にタッチパネル６を形成した液晶型のディスプレイ７を備え、上部筐体１の内部には画像処理を行う処理装置１０を備えている。
【００３３】
前記半導体ドライブ２とディスクドライブ３とが本発明のルートデータ取得部と、画像データ取得部として機能し、また、処理装置１０がリンクデータ生成部とアルバム作成手段として機能する。後述するように本発明の受付端末はインターネットＮ（通信手段の一例・図２を参照）に接続しており、このインターネットＮとの接続部位がルートデータ取得部と、地図データ取得部として機能する。
【００３４】
前記処理部Ｂは、縦長姿勢の下部筐体２０の上部位置に硬貨を受領する硬貨投入孔２１Ａと、紙幣を受領する紙幣挿入孔２１Ｂと、釣り銭排出口２１Ｃで成る課金処理部２１を備え、この下部筐体２０の下部位置に画像データをプリントペーパーにプリントしてペーパー排出口２２Ａから排出する昇華型のプリント部２２と、データを記憶したＣＤ−ＲやＤＶＤ−Ｒ等のディスク型メディアＭｄ（記憶媒体の一例）を電子アルバムとして媒体排出部２３Ａから排出する記憶処理部２３（媒体ドライブの一例）とを収納している。
【００３５】
〔処理の概要〕この受付端末は、ＤＰ店やコンビニエンスストア等の店頭に設置され、デジタルスチルカメラやカメラ付き携帯電話機やデジタルムービカメラのスチル撮影機能を利用して撮影した複数の画像データ（スチル画像）をプリントするプリント処理を行い、また、例えば、旅行の行程やドライブ時の自動車の走行経路をルートデータとして取得し、そのルートデータ上又はルートデータの近傍に設定される複数の撮影位置に前記画像データを関連付けてパーソナルコンピュータにおいて表示可能な電子アルバム化してＤＶＤ−ＲやＣＤ−Ｒ等の記憶媒体に記憶する電子アルバム作成処理を行えるよう構成している（具体的な処理形態は後述する）。
【００３６】
〔制御系〕この電子アルバム作成の制御系を図２のように示すことが可能である。つまり、前記処理装置１０は情報処理を行うマイクロプロセッサ（ＣＰＵ）を備えると共に、このマイクロプロセッサ（ＣＰＵ）に対して情報の入出力を行う入出力インタフェース１１を備え、この入出力インタフェース１１に対して前記半導体ドライブ２、ディスクドライブ３、レシートプリンタ４、コネクタ５、タッチパネル６、ディスプレイ７、及び、前記課金処理部２１、プリント部２２、記憶処理部２３、通信インタフェース２５、及び、ハードディスク２６夫々に対して情報をアクセスする信号系が形成されている。
【００３７】
図面には示していないが、前記プリント部２２は複数種のサイズにプリントペーパーを貯留するペーパー貯留部と、プリントペーパーに対して画像形成するための昇華型のプリントヘッドとを備え、前記処理装置１０から伝送される画像データとオーダデータとに基づいてペーパー貯留部から繰り出したペーパーに対してプリントヘッドにより順次プリント処理を実現するように機能するものである。尚、このプリント部２２は、インクジェット型のプリントヘッドを備えたものであっても良い。
【００３８】
前述と同様に図面には示していないが、前記記憶処理部２３はＤＶＤ−Ｒ型の記憶媒体Ｍｄのストック部と、記憶媒体Ｍｄにデータを書き込むドライブとを備え、前記処理装置１０から制御により、前記ストック部から取り出した記憶媒体Ｍｄをドライブに送り込み、その記憶媒体Ｍｄに該処理装置１０からのデータを書き込む処理を実現するように機能する。尚、この記憶処理部２３は記憶媒体ＭｄとしてＣＤ−Ｒ型のものを使用することが可能であり、また、半導体型メディアＭｓに対してデータを書き込む処理を行うものであっても良い。
【００３９】
前記通信インタフェース２５は、インターネットＮ（通信手段の一例）に接続しており、前記処理装置１０はインターネットＮを介して、予め契約している地図データダウンロードサイト２７から地図データをダウンロードし、これと同様に音楽データダウンロードサイト２８から音楽データをダウンロードする処理を実現し（音楽データ取得部、及び、地図データ取得部として機能する）、また、旅行会社のホームページのように旅行の行程等のルートデータとしてインターネットＮにおいて公開しているルートデータダウンロードサイト２９からルートデータのダウンロードも実現（ルートデータ取得部として機能する）できるように構成されている。
【００４０】
前記マイクロプロセッサＣＰＵはデータバスを介して半導体メモリＲＡＭ／ＲＯＭ、処理システム１２、プリント処理手段１３、課金処理手段１４、電子アルバム作成手段１５夫々に接続している。ちなみに、この処理装置１０で制御を実現するためにはデータバスの他にコントロールバスやアドレスバス等を必要とするものであるが、複雑化を避けるために図面にはコントロールバスやアドレスバス、あるいは、インタフェース類を示していない。
【００４１】
前記処理システム１２は、前記ディスプレイ７に表示した情報に基づいてオペレータが必要とする各種の処理を実現するＧＵＩ（Graphical User Interface）型のＯＳ（オペレーティングシステム）を具備したものである。前記プリント処理手段１３はソフトウエアで成り、オペレータによってプリント処理が選択された場合に、ガイダンスを前記ディスプレイ７に表示し、このガイダンスに基づいてオペレータが必要な操作を行うことにより前記プリント部２２でのプリントが実現する。また、このプリント処理を行う際には前記課金処理手段１４が処理に必要な料金の額を前記ディスプレイ７に表示し、この料金の支払いがあった場合にプリント処理が実行される。
【００４２】
前記電子アルバム作成手段１５はソフトウエアで成り、オペレータによって電子アルバムを作成する処理が選択された場合に、ガイダンスを前記ディスプレイ７に表示し、このガイダンスに基づいてオペレータが必要な操作を行うことにより、前記記憶処理部２３において記憶媒体Ｍｄに対してデータを書き込み電子アルバムを作成する処理を実現する。また、このアルバムを作成する処理を行う際には前記課金処理手段１４が処理に必要な料金の額を前記ディスプレイ７に表示し、この料金の支払いがあった場合に電子アルバムを作成する処理が実行される。
【００４３】
この電子アルバム作成手段１５の処理形態は後述するが、この電子アルバム作成手段では、画像データ取得、ルートデータ取得、地図データ取得、リンクデータ生成、音楽データ取得、再生処理プログラムのセット、書き込み（記憶処理）夫々の処理を行うようにプログラムがセットされている。尚、この電子アルバム作成手段１５はリンクデータ生成手段としても機能する。
【００４４】
前記処理システム１２、プリント処理手段１３、課金処理手段１４、電子アルバム作成手段１５は半導体メモリＲＡＭ上に展開可能なソフトウエア（プログラム）を想定しているが、一部又は全てをロジック等のハードウエアで構成することも可能である。
【００４５】
〔処理形態〕この受付端末の処理形態を図３のフローチャートのように示すことが可能である。つまり、前記ディスプレイ７に図７に示す如く表示された初期画面３０において、画像データの入力形態として表示された半導体型メディア、ディスク型メディア、携帯電話機のうちの何れか１つにオペレータが指を接触させて選択し、記憶媒体等をセットした後に、ＯＫボタン３１に指を接触させて操作することにより、画像データを取得すると共に、図８に示す選択画面４０が表示される（＃０１〜＃０４ステップ）。
【００４６】
前記選択画面４０には、プリントボタン４１と電子アルバム作成ボタン４２とが表示され、何れか一方のボタンに指を接触させて必要とする処理を選択することが可能となる。そして、これらの処理がリセットされるまで継続するのである（＃０５、＃１００、＃２００、＃０６ステップ）。
【００４７】
前記プリント処理（＃１００ステップ）は、サブルーチンの形でセットされ、この処理では、図４のフローチャートに示す処理を前記プリント処理手段１３が実現する。つまり、この処理では、図９に示すオーダ画面５０をディスプレイ７に表示する。このオーダ画面では、画像表示領域５１に対して、前述のように取得した画像データの全てをサムネイルの形式で表示すると共に、夫々の画像表示領域５１の近傍位置にプリント枚数を増減する設定ボタン５２と、プリント枚数表示部５３と、これらをスクロールするスクロールバー５４とを表示し、また、枠部にプリントサイズの設定部５５と、ＯＫボタン５６とを表示する（＃１０１ステップ）。
【００４８】
このオーダ画面５０において、プリントサイズとプリント枚数との情報を取得した場合には（ＯＫボタン５６が操作された場合には）、このプリントサイズとプリント枚数との情報から演算によってプリント料金をディスプレイ７に表示し、前記課金処理部２１に対して料金が支払われた際には、レシートプリンタ４からレシートｒｅを送り出し、この後、前記プリント部２２を制御してプリント処理を実行する（＃１０２〜＃１０５ステップ）。
【００４９】
電子アルバム作成処理（＃２００ステップ）は、サブルーチンの形でセットされ、この処理では、図５のフローチャートに示す処理を電子アルバム作成手段１５が実現する。つまり、このフローチャートに示す処理が本発明の画像処理方法、及び、本発明の画像処理プログラムに対応するものであり、この処理では、図１０に示す選択画面６０をディスプレイ７に表示する。この選択画面６０では画像表示領域６１に対して、前述のように取得した画像データの全てをサムネイル形式で表示すると共に、夫々の画像表示領域６１の近傍に選択用のチェック部６２と、複数の画像表示領域６１をスクロールするスクロールバー６３と、画像データを９０度単位で回転させる回転ボタン６４と、ＯＫボタン６５とを表示する。
【００５０】
前記選択画面６０に画像データを表示する際には、夫々の画像データに付随するＥｘｉｆ（Exchangeable Image File Format）に含まれる撮影日時データに基づいて設定された撮影順序に従って、画像データの表示が行われる。前記チェック部６２の全ては、初期状態においてチェック状態（選択状態）にあり、このチェック部６２に指を接触させることでチェックを解除でき（選択を解除でき）、再度指を接触させることでチェック状態に切り換えることが可能であり、画像表示領域６１に指を接触させて画像データを選択した状態で前記回転ボタン６４に指を接触させることによって、画像データを予め設定された方向に９０度単位で回転でき、スクロールバー６３に指を接触させてスライド操作することによって、画像表示領域６１をスクロールさせて全ての画像データを表示で、これらの操作が完了した後にＯＫボタン６５に指を接触させることによって選択が完了し、選択された画像データを電子アルバムの表示対象にセットする（＃２０１ステップ）。
【００５１】
次に、地図データを取得してディスプレイ７に表示する（＃２０２ステップ）。この処理では、ハードディスク２６に保存されているものの中から選択する処理と、インターネットＮを介して取得する処理との何れかの処理が行われる。
【００５２】
ハードディスク２６から必要な地図データを取得する場合には、図１１に示すように、地図データのサンプルを表示するサンプル画面７０が表示される。このサンプル画面７０は、イラスト地図７１と、観光マップ７２と、汎用地図７３と、ＯＫボタン７４とが表示され、必要とする種類の地図データに指を接触させて選択した後に、ＯＫボタン７４に指を接触させることで処理は完了する。尚、必要な地図データとは、前述したようにイラスト地図７１と、観光マップ７２と、汎用地図７３とを含む複数種の地図データのうち、電子アルバムを作成する場合にオペレータが、電子アルバムを作成するために最適であると判断した種類の地図データである。
【００５３】
このように地図データの種類が決まった後には、設定画面（図示せず）が表示され、この設定画面において表示すべき領域と拡大率とを指定することになる。また、インターネットＮを介して地図データを取得する際には、前記地図データダウンロードサイト２７にログインして必要な地図データを取得する処理形態となるが、ディスプレイ７に表示される画面は図１１と基本的に変わるものではない。
【００５４】
次に、ルートデータを取得してディスプレイに表示する（＃２０３ステップ）。このルートデータとは経度と緯度とで示すことが可能な位置データ群であり、旅行であれば、旅行者が移動した行程や軌跡を記録し、自動車でのドライブでは自動車が走行した経路を記録したものである。
【００５５】
このルートデータの取得時には図１２に示すように、ルートデータ取得画面８０をディスプレイ７に表示する。このルートデータ取得画面８０には画像データに付随するＥｘｉｆにＧＰＳ（ Global Positioning System  ）データ（本発明の位置データ）が含まれる場合には、画面中の第１ボタン８１に指を接触させて選択し、カーナビゲーションシステムや携帯型のナビゲーションシステムで取得したＧＰＳデータをメディアを介して取得する場合には、そのＧＰＳデータを記憶した半導体型メディアＭｓを半導体ドライブ２にセットする等のセッティングの後に第２ボタン８２に指を接触させて選択し、インターネットＮを介してルートデータを取得する場合には第３ボタン８３に指を接触させて選択し、ディスプレイ７に表示された地図データに対して直接的にルートデータを書き込む場合には第４ボタン８４に指を接触させて選択し、これらの選択のうちの何れかを行った後にＯＫボタン８５に指を接触させて選択を確定することにより、選択した処理が実行される。
【００５６】
尚、ＧＰＳ（ Global Positioning System ）とは、複数のＧＰＳ衛星からの電波信号を受信することにより地球上の位置を測地することを可能にするシステムであり、前記ＧＰＳデータは、測地したタイミングにおける経度と緯度とを示す座標データを指す位置データとして説明することが可能であるが、ＧＰＳユニットを有したデジタルカメラで撮影された画像データには、夫々の画像データに付随するＥｘｉｆに含まれる座標データのみをＧＰＳデータと称している。また、カーナビゲーションシステムや携帯型のナビゲーションシステムで取得したＧＰＳデータは、測地したタイミングデータ（測地日時データ）と、座標データとを含むものを指している。
【００５７】
具体的に説明すると、ＧＰＳユニットを有するデジタルカメラや、ＧＰＳユニットを有するカメラ付き携帯電話機から画像データを取得した場合には、第１ボタン８１を操作することにより、画像データに付随するＥｘｉｆに含まれるＧＰＳデータ（撮影位置：座標データ）が抽出され、このように抽出されたＧＰＳデータ（撮影位置：座標データ）がＥｘｉｆデータに含まれる撮影日時データに基づき、撮影順序にソートされることにより、複数の撮影位置を繋ぎ合わせた構造となるルートデータが生成される。
【００５８】
カーナビゲーションシステムや携帯型のナビゲーションシステムで取得したＧＰＳデータ（測地タイミングデータと座標データ）を例えば半導体型メディアＭｓに保存している場合には、その半導体型メディアＭｓを半導体ドライブ２にセットして第２ボタン８２を操作することにより、その半導体型メディアＭｓから、測地タイミングデータに基づいて、座標データをソートすることにより、座標データを繋ぎ合わせた構造となるルートデータが生成される。
【００５９】
インターネットＮを介してルートデータを取得する処理として、例えば、旅行会社が企画した観光旅行のように、決まった行程（ルート）を移動するものでは、その旅行会社が企画した観光旅行の行程を、順序が決められた複数の経度と緯度とで表されるルートデータとしてインターネットＮのホームページ（ルートデータダウンロードサイト２９の一例）に公開することを前提としており、前記第３ボタン８３を操作した場合には、アドレスや旅行会社名を入力する画面（図示せず）が更に表示され、その旅行に参加した顧客が、旅行会社のホームページにアクセスしてルートデータを取得することになる。
【００６０】
地図の種類として、３Ｄ表示型の地図や、鳥瞰図のように上方から見下ろした形態の地図や、更に詳細な地図や、更にシンプル地図を選択できるように構成しても良い。特に、地図データは最新のものを用いる観点や、様々なデザインのものを使用する観点からインターネットＮを介して地図データダウンロードサイト２７から取得することが望ましい。
【００６１】
第４ボタン８４を操作した場合には、ディスプレイ７に対してガイダンスが表示され、このガイダンスに従って、地図データ上にスタート位置を指定し、地図データ上をトレースする形態でルートを指定し、最後に終了位置を指定することになる。また、地図データ上をトレースする形態でルートデータを入力する場合には、地図データ上にルートデータがライン状に表示され、ルートを視覚的に確認しながら入力を行えるものとなる。
【００６２】
このようにルートデータを取得した後には、図１３に示すように、撮影位置設定画面９０においてルートデータＲが地図データ上にライン状（同図では破線で示している）に表示されるものとなり、この撮影位置設定画面９０においてルートデータＲ上またはルートデータＲの近傍位置に撮影位置Ｐを設定してリンクデータを生成する（＃２０４ステップ）。
【００６３】
前記撮影位置設定画面９０は、撮影位置Ｐとして観光地を選択する観光地ボタン９１と、撮影位置Ｐを任意に指定する任意指定ボタン９２と、観光地を一覧化して表示する一覧表示部９３と、一覧表示部９３に表示された観光地名をスクロールする一対のスクロールボタン９３Ａと、選択した地図データを表示する地図データ表示部９４と、この地図データ表示部９４に表示された地図データをスクロールする複数のスクロールボタン９４Ａと、地図データ表示部９４に表示された地図データを拡大表示する拡大ボタン９４Ｂと、地図データ表示部９４に表示された地図データを縮小表示する縮小ボタン９４Ｃと、前記選択画面６０で選択した画像データを表示する複数の画像データ表示部９５と、この画像データ表示部９５に表示される画像データをスクロールする形態で切り換える一対のスクロールボタン９５Ａと、複数の画像データ表示部９５に表示された画像データのうち中央位置の画像データ表示部９５に表示された画像データを先に設定された撮影位置Ｐに関連付ける設定ボタン９６と、関連付け処理を完了するＯＫボタン９７とを備えている。
【００６４】
前述したようにＧＰＳ機能を有するデジタルカメラや、ＧＰＳ機能を有するカメラ付き携帯電話機から画像データを取得し、ルートデータＲを生成した場合には、ＧＰＳデータを撮影位置Ｐとするように、画像データと撮影位置とが自動的に関連付ける処理によって自動的にリンクデータを生成するよう基本的な処理形態が設定されているが、次に説明するように前記撮影位置設定画面９０を用いて新たに、リンクデータを生成することも可能である。
【００６５】
前記撮影位置設定画面９０は、地図データ表示部９４に対して前記ルートデータ取得画面８０で取得したルートデータをライン状に表示した状態で、前記選択画面６０で選択した画像データを画像データ表示部９５に表示し、指定した画像データの撮影位置Ｐを前記ルートデータＲ上またはルートデータＲの近傍位置を任意に指定する処理を実現する。
【００６６】
撮影位置Ｐを指定する形態として、観光地ボタン９１を操作して選択した比較的広い領域となる観光地を撮影位置Ｐに設定した状態で画像データ表示部９５に複数の画像データを表示して順次設定ボタン９６を操作することにより、その複数の画像データを観光地に関連付ける処理と、地図データ表示部９４に表示されているルートデータＲ上の任意の位置に指を接触させて撮影ポイントを指定し、設定ボタン９６を操作することにより、画像データ表示部９５に表示した画像データを、その撮影位置に関連付ける処理とを行うことが可能となり、この関連付け処理を行うことによりリンクデータが生成される。
【００６７】
このように関連付けを行う際には、スクロールボタン９３Ａを操作することによって地図データ表示部９４に表示された地図データをスクロールして地図データの表示エリアを変更でき、拡大ボタン９４Ｂ、縮小ボタン９４Ｃに指を接触させて操作することにより、地図データの拡大若しくは縮小を行える。
【００６８】
前述したようにＧＰＳ機能を有するデジタルカメラや、ＧＰＳ機能を有するカメラ付き携帯電話機から画像データを取得し、ルートデータＲを生成した場合には、前記観光地ボタン９１を操作して観光地を設定した場合には、図１４に示すように観光地の広い領域において撮影位置Ｐが自動的に設定されるものである。また、ＧＰＳ機能を有するデジタルカメラや、ＧＰＳ機能を有するカメラ付き携帯電話機から画像データを用いない場合でも、前記撮影位置設定画面９０において観光地ボタン９１を操作して観光地を設定した場合には、観光地を拡大し、複数の画像データに対する撮影位置Ｐを観光地の領域内に設定することも可能である。このように撮影位置を設定した場合には、図１４に示す如く、複数の撮影位置Ｐを繋ぐ形態で新たにルートデータＲを生成しても良いが、撮影位置Ｐだけを設定するものであっても良い。
【００６９】
次に、図面には示さないが、音楽設定画面を表示して、その画面中の音楽の一覧から電子アルバムで画像データを表示する際にＢＧＭとして再生する音楽データを設定し（音楽データ取得処理）、タイトル入力画面を表示して電子アルバムに付するタイトルを入力することになる（＃２０５ステップ）。また、音楽データは、前記ハードディスク２６の音楽データベースに保存されているもののタイトルを表示するが、最新の音楽データのタイトルをインターネットＮを介して取得して表示し、その最新の音楽データが選択された場合には、インターネットＮを介して音楽データダウンロードサイト２８から音楽データをダウンロードするよう構成されている。
【００７０】
この処理の後には、作成料金をディスプレイ７に表示し、前記課金処理部２１に対して料金が支払われた際には、レシートプリンタ４からレシートｒｅを送り出し、この後、前記記憶処理部２３を制御して記憶媒体Ｍｄに対して、前記画像データ、前記地図データ、前記ルートデータ、前記リンクデータ、音楽データ夫々、及び、再生装置において地図データに撮影位置を示した状態で画像データを順次表示するための再生処理プログラムを記憶する処理を実行する（＃２０７〜＃２０９ステップ）。
【００７１】
このように記憶媒体Ｍｄにデータを記憶した作成された電子アルバムを、例えば、図１５に示すように再生装置の一例としてパーソナルコンピュータ１００のディスクドライブ１０１にセットした後、前記タイトルを指定して再生処理プログラムを実行した場合には、そのディスプレイ１０２（表示手段の一例）に対して図１６示すように再生画面１１０を表示する。この再生画面１１０には、地図データ表示領域１１１の一部に画像データ表示領域１１２が形成されると共に、画面下部には、再生処理の実行や、早送りを実現する制御ボタン１１３と、再生状況をタイムライン上で示すインジケータ１１４と、表示した画像データの数を表示するコマ数表示部１１５とが形成されている。尚、制御ボタン１１３やインジケータ１１４はトラックパッド１０３や、マウス１０４によって操作できる。
【００７２】
前記再生処理プログラムの処理形態を図６のフローチャートのように示すことが可能である。つまり、処理が開始されるとディスプレイに１０２タイトルを表示し、音楽データの再生を行うと共に、撮影日時が最も早期の撮影位置Ｐを抽出し、この撮影位置Ｐに対応した地図データをディスプレイ１０２に表示すると共に、この地図データ上に前記ルートデータＲを表示する。
【００７３】
このように電子アルバムを再生する場合には、前記再生処理プログラムは、地図データ上に先ず、出発地点を表示し、前記ルートデータＲを表示し、このルートデータＲに関連する撮影位置Ｐを示すシンボル等を表示する（撮影位置Ｐを強調表示することや、ブリンクさせても良い）。そして、出発地点から最初の撮影位置を辿るように地図データをスクロールさせ（ルートデータＲ上に自動車やカメラ等のシンボルを移動させる形態で表示しても良い）、先頭の撮影位置Ｐで撮影された画像データを画像データ表示領域１１２に最初に表示する（＃３０１〜＃３０３ステップ）。
【００７４】
このように電子アルバムを再生する場合、地図データに出発地点と終了地点（シンボルの移動が終了する点）とを同時に画面に表示するように、前記再生処理プログラムが地図データの表示の縮尺を設定するように処理形態を設定しても良い。また、地図データとして前記出発地点と終了地点とを同時に表示するサイズ（データ量）となる比較的小さいデータ量の地図データを用いることによって電子アルバムのデータ量を低減するものであっても良い。
【００７５】
このように先頭の撮影位置Ｐに対応した位置を撮影位置Ｐと、これに関連付けられた画像データとを表示する場合には、地図データ上に撮影位置Ｐを強調表示することになる（撮影位置Ｐを示すシンボルを表示することや、撮影位置の明るさや色相を変化させても良い）。
【００７６】
更に、設定された時間間隔毎（例えば数秒〜１０秒程度）に撮影位置Ｐを更新し、対応する地図データをスクロールし（地図データを新たに表示しても良い）、夫々の撮影位置Ｐに関連付けられた画像データを画像データ表示領域１１２に表示する処理が行われる（＃３０４ステップ）。
【００７７】
このように撮影位置Ｐに対応した画像データを表示する場合、撮影位置Ｐとして観光地のように広範な領域を撮影位置として設定している場合には、図１６に示すように、観光地全体を撮影位置として強調表示して、その観光地の領域内に複数の撮影位置Ｐが異なる位置に設定されている場合には、図１４に示すように観光地の領域内において複数の撮影位置Ｐが設定されている場合には、夫々の撮影位置Ｐを明示した状態において、その撮影位置Ｐに対応した画像データが画像データ表示領域１１２に表示される。
【００７８】
次に、前記制御ボタン１１３、あるいは、インジケータ１１４が操作され撮影位置Ｐが変更された場合には、変更後の撮影位置Ｐを新たにセットして、前述したように設定された時間間隔毎に撮影位置Ｐを更新し、画像データを表示する処理を終了するまで継続するのである（＃３０５〜＃３０７ステップ）。
【００７９】
このように、本発明によると、例えば、旅行においてデジタルカメラを用いて撮影した複数の画像データを記憶したメディアを本発明の受付端末にセットし、ディスプレイ７に表示されるガイダンスに従って操作するだけで、地図データと、ルートデータと、複数の画像データと、この複数の画像データと撮影位置Ｐとを関連付けるリンクデータと、再生処理プログラムとが記憶メディアに記憶され電子アルバムが作成することが可能である。このように作成された電子アルバムは、パーソナルコンピュータにセットするだけで、複数の画像データの撮影位置の相対的な位置関係を地図上のルートデータＲによって把握できるように自動的に表示するものとなり、撮影位置を地図データ上に表示した状態で、その撮影位置において撮影された画像データを表示できるため、具体的な撮影位置を記憶の中から呼び起こして良好な環境で写真データを観賞できるのである。
【００８０】
特に、本発明のように、電子アルバムを作成する際に、複数の手段を介してルートデータＲを取得できるので、ルートデータの取得が容易となり、観光地や行楽地の一覧から撮影地を選択できるので、簡便に撮影位置を設定することが可能となる。また、必要な場合、観光地の地図データを拡大表示して、撮影位置を精度高く設定することも可能であり、このように撮影位置を設定した場合には、良好な観賞環境を提供できることになる。
【００８１】
また、本発明の画像処理方法と、画像処理プログラムとを考えると、図４のフローチャートに示す処理を実現するプログラムをパーソナルコンピュータにインストールしたものを本発明の画像処理装置と捉え得るものなる。
【００８２】
〔別実施形態〕
本発明は、上記した実施の形態以外に以下のように構成しても良い（この別実施形態では前記実施の形態と同じ機能を有するものには、実施の形態と共通の番号、符号を付している）。
【００８３】
（イ）観光地や行楽地のように比較的限られて地域の中で複数の画像データを撮影した場合のように、再生時に撮影位置に変化がなく、画像データが更新されるものでは、図１７に示すように、先の画像データに対して次の画像データを一部重ね合わせるよう表示することにより、先の画像データと次の画像データとの関連性を視覚的に確認した状態で表示を行うよう再生処理の処理形態を設定することも可能である。また、このように画像データを表示する場合に、撮影位置と画像データ表示領域１１２との間に対応関係を示すリンクシンボル１１８のように地図データ上での撮影位置を容易に確認できる表示を行うよう表示形態を設定しても良い。
【００８４】
（ロ）電子アルバムを作成する際に、前記上部筐体１に備えたディスクドライブ３に対してディスク型メディアＭｄを人為的にセットし、そのメディアＭｄにデータを記憶するように処理形態を設定することが可能であり、また、ディスク型メディアＭｄとしてＤＶＤ−ＲＷやＤＶＤ−ＲＡＭや、半導体型のメディアのように追記可能な記憶媒体に対してデータを記憶することによって電子アルバムを作成するよう処理形態を設定することも可能である。
【００８５】
（ハ）ディスプレイ１０２に画像データを表示する際に、地図データを背景にした表示形態を採用していたが、これに代えて、ディスプレイ１０２の全画面に撮影画像データを表示し、この撮影画像データの一部に地図データを表示するよう表示形態を設定することも可能である。
【図面の簡単な説明】
【００８６】
【図１】受付端末の斜視図
【図２】受付端末の制御系を示すブロック回路図
【図３】受付端末の基本的な処理形態を示すフローチャート
【図４】プリント処理ルーチンのフローチャート
【図５】電子アルバム作成ルーチンのフローチャート
【図６】再生処理のフローチャート
【図７】初期画面を示す図
【図８】選択画面を示す図
【図９】オーダ画面を示す図
【図１０】選択画面を示す図
【図１１】サンプル画面を示す図
【図１２】ルートデータ取得画面を示す図
【図１３】撮影位置設定画面を示す図
【図１４】撮影位置とルートデータとを示す模式図
【図１５】パーソナルコンピュータを示す斜視図
【図１６】再生画面を示す図
【図１７】再生画面を示す図
【符号の説明】
【００８７】
２、３        画像データ取得部
７            ディスプレイ
１０          処理手段・処理装置・リンクデータ生成部
１５          電子アルバム作成手段
２３          媒体ドライブ
２５          音楽データ取得部、地図データ取得部・通信インタフェース
１００        再生装置・パーソナルコンピュータ
１０２        ディスプレイ
Ｍｄ          記憶媒体
Ｎ            通信回線・インターネット
Ｒ            ルートデータ
【図１】
2006135663.tif 000003
【図２】
2006135663.tif 000004
【図３】
2006135663.tif 000005
【図４】
2006135663.tif 000006
【図５】
2006135663.tif 000007
【図６】
2006135663.tif 000008
【図７】
2006135663.tif 000009
【図８】
2006135663.tif 000010
【図９】
2006135663.tif 000011
【図１０】
2006135663.tif 000012
【図１１】
2006135663.tif 000013
【図１２】
2006135663.tif 000014
【図１３】
2006135663.tif 000015
【図１４】
2006135663.tif 000016
【図１５】
2006135663.tif 000017
【図１６】
2006135663.tif 000018
【図１７】
2006135663.tif 000019